【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  プログラムのデータ内容を提供するために、第１の送信元からのパケット化されたプログラム情報を復号化するための装置であって、
前記パケット化されたプログラム情報内の付属情報を識別するための手段であって、前記付属情報が、前記パケット化されたプログラム情報内の画像に関連付けられたマルチメディア画像オブジェクトを記述する情報を含み、前記マルチメディアオブジェクト記述情報が、
（ａ）前記マルチメディアオブジェクトを取得する時に用いるマルチメディアオブジェクトの位置を識別する位置識別子、および
（ｂ）前記マルチメディアオブジェクトを復号化する時に用いるマルチメディアオブジェクトタイプを識別するタイプ識別子を具える手段と、
前記マルチメディアオブジェクト記述情報を使用して、前記マルチメディアオブジェクトを取得して復号化するための手段と、
前記マルチメディアオブジェクトを表示用にフォーマットするための手段と
を具えたことを特徴とする装置。
【請求項２】  請求項１に記載の装置において、前記位置識別子は、（ａ）前記第１の送信元からの前記パケット化されたプログラム情報、および（ｂ）前記第１の送信元とは異なる第２の送信元から導出された情報のうちの１つにおいて、前記マルチメディアオブジェクトの位置を識別することを特徴とする装置。
【請求項３】  請求項２に記載の装置において、前記位置識別子は、（ａ）ＭＰＥＧ互換パケット識別子（ＰＩＤ）、（ｂ）ＭＰＥＧ互換デジタル記憶媒体コードのうちの１つを使用して、前記第１の送信元から導出された前記マルチメディアオブジェクトの位置を識別することを特徴とする装置。
【請求項４】  請求項２に記載の装置において、前記位置識別子は、（ａ）インターネットＵＲＬ、（ｂ）インターネットＩＰアドレス、（ｃ）電子メールアドレス、（ｄ）電話／ファクス／テレビ電話の番号のうちの１つを使用して、前記第２の送信元から導出された前記マルチメディアオブジェクトの位置を識別することを特徴とする装置。
【請求項５】  請求項４に記載の装置において、前記マルチメディアオブジェクトを取得するための前記手段は、前記位置識別子を使用して、前記第２の送信元との双方向通信を確立することを含み、前記双方向通信パスが前記復号化装置と前記第１の送信元との間の通信パスとは異なることを特徴とする装置。
【請求項６】  請求項１に記載の装置において、前記マルチメディアオブジェクトタイプは、（ａ）ビデオセグメントまたは静止画像、（ｂ）オーディオセグメント、（ｃ）テキスト、（ｄ）インターネットウェブページまたはインターネットデータ、（ｅ）広告、（ｆ）ユーザがサービスを選択するためのアイコン、（ｇ）アニメーションセグメント、（ｈ）電子メールメッセージ、（ｉ）ユーザプロンプトインジケータ、（ｊ）同報通信チャネル識別アイコンのうちの少なくとも１つを含むことを特徴とする装置。
【請求項７】  請求項１に記載の装置において、前記マルチメディアオブジェクト記述情報は、復号化する時に用いる（ａ）オブジェクト開始時間、（ｂ）オブジェクト期間、（ｃ）オブジェクト表示モード、（ｄ）オブジェクトバージョン番号、（ｅ）オブジェクトフォーマットのうちの少なくとも１つをさらに含むことを特徴とする装置。
【請求項８】  請求項１に記載の装置において、前記フォーマット手段は、前記マルチメディアオブジェクトを、（ａ）ビデオ画像、（ｂ）オーディオデータのうちの１つと関連付ける手段を含み、
前記フォーマット手段が、前記マルチメディアオブジェクトと、（ａ）電子プログラムガイド、（ｂ）ビデオプログラム、および（ｃ）インターネットウェブページ画像のうちの少なくとも１つとを組み合わせた表示用の合成画像を形成することを特徴とする装置。
【請求項９】  請求項１に記載の装置において、前記付属情報は、前記第１の送信元から電子プログラムガイドを搬送するためのプログラム特定情報を含み、
前記マルチメディアオブジェクトが前記電子プログラムガイドに関連付けられていることを特徴とする装置。
【請求項１０】  ビデオ情報を表すデジタルデータを含む記憶媒体であって、
ビデオプログラムを表すパケット化されたプログラム情報と、
前記パケット化されたプログラム情報内の画像に関連付けられたマルチメディア画像オブジェクトを記述する情報を含む付属情報であって、前記マルチメディアオブジェクト記述情報が、
（ａ）前記マルチメディアオブジェクトを取得する時に用いる前記マルチメディアオブジェクトの位置を識別する位置識別子、および
（ｂ）前記マルチメディアオブジェクトを復号化する時に用いるマルチメディアオブジェクトタイプを識別するタイプ識別子を具える付属情報と、
前記パケット化されたプログラム情報内の画像に前記マルチメディアオブジェクトを関連付けるための情報と
を具えたことを特徴とする記憶媒体。
【請求項１１】  請求項１０に記載の記憶媒体において、前記付属情報は、電子プログラムガイドを含むプログラム特定情報を含み、
前記マルチメディアオブジェクトが前記電子プログラムガイドに関連付けられたことを特徴とする記憶媒体。
【請求項１２】  プログラムのデータ内容を提供するために、パケット化されたプログラム情報を復号化するのに適した第１の送信元でプログラムガイド情報を形成するための方法であって、
前記パケット化されたプログラム情報内の画像に関連付けられたマルチメディア画像オブジェクトを記述する情報を形成するステップであって、前記マルチメディアオブジェクト記述情報が、
（ａ）前記マルチメディアオブジェクトを取得する時に用いるマルチメディアオブジェクトの位置を識別する位置インジケータ、および
（ｂ）前記マルチメディアオブジェクトを復号化する時に用いるマルチメディアオブジェクトタイプを識別するタイプインジケータを具えるステップと、
前記パケット化されたプログラム情報内の画像に前記マルチメディアオブジェクトを関連付けるリンク情報を形成するステップと、
前記マルチメディアオブジェクト記述情報と前記リンク情報を、伝送チャネルに出力するためにパケット化されたデータに組み込むステップと
を具えたことを特徴とする方法。
【請求項１３】  請求項１２に記載の方法において、前記位置インジケータは、（ａ）前記第１の送信元からの前記パケット化されたプログラム情報と、（ｂ）前記第１の送信元とは異なる第２の送信元から導出された情報のうちの１つにおいて前記マルチメディアオブジェクトの位置を識別することを特徴とする方法。
【請求項１４】  請求項１３に記載の方法において、前記位置識別子は、（ａ）ＭＰＥＧ互換パケット識別子（ＰＩＤ）、（ｂ）ＭＰＥＧ互換デジタル記憶媒体コードのうちの１つを使用して、前記第１の送信元から前記マルチメディアオブジェクトの位置を識別することを特徴とする方法。
【請求項１５】  請求項１３に記載の方法において、前記位置識別子は、（ａ）インターネットＵＲＬ、（ｂ）インターネットＩＰアドレス、（ｃ）電子メールアドレス、（ｄ）電話／ファクス／テレビ電話の番号のうちの１つを使用して、前記第２の送信元から導出された前記マルチメディアオブジェクトの位置を識別することを特徴とする方法。
【請求項１６】  請求項１５に記載の方法において、前記マルチメディアオブジェクトタイプは、（ａ）ビデオセグメントまたは静止画像、（ｂ）オーディオセグメント、（ｃ）テキスト、（ｄ）インターネットウェブページまたはインターネットデータ、（ｅ）広告、（ｆ）ユーザがサービスを選択するためのアイコン、（ｇ）アニメーションセグメント、（ｈ）電子メールメッセージ、（ｉ）ユーザプロンプトインジケータ、および（ｊ）同報通信チャネル識別アイコンのうちの少なくとも１つを含むことを特徴とする方法。
【請求項１７】  請求項１２に記載の方法において、前記マルチメディアオブジェクト記述情報は、復号化する時に用いる（ａ）オブジェクト開始時間、（ｂ）オブジェクト期間、（ｃ）オブジェクト表示モード、（ｄ）オブジェクトバージョン番号、（ｅ）オブジェクトフォーマットのうちの少なくとも１つをさらに含むことを特徴とする方法。
【請求項１８】  請求項１２に記載の方法において、前記リンク情報は、前記マルチメディアオブジェクトを、（ａ）電子プログラムガイド、（ｂ）ビデオプログラム、（ｃ）オーディオプログラム、および（ｄ）インターネットウェブページ画像のうちの少なくとも１つに関連付けることを特徴とする方法。
【請求項１９】  プログラムのデータ内容を提供するために、パケット化されたプログラム情報を復号化するための方法であって、
前記パケット化されたプログラム情報内の付属情報を識別するステップであって、前記付属情報が、前記パケット化されたプログラム情報内の画像に関連付けられたマルチメディア画像オブジェクトを記述する情報を含み、前記マルチメディアオブジェクト記述情報が、
（ａ）前記マルチメディアオブジェクトを取得する時に用いるマルチメディアオブジェクトの位置を識別する位置識別子と、
（ｂ）前記マルチメディアオブジェクトを復号化する時に用いるマルチメディアオブジェクトタイプを識別するタイプ識別子とを具えるステップと、
前記マルチメディアオブジェクト記述情報を使用して、前記マルチメディアオブジェクトを取得して復号化するステップと、
マルチメディアオブジェクトを表示用にフォーマットするステップと
を具えたことを特徴とする方法。
【請求項２０】  請求項１９に記載の方法において、前記マルチメディアオブジェクトを、（ａ）ビデオ画像、および（ｂ）オーディオデータのうちの１つと関連付けるステップを含むことを特徴とする方法。
【請求項２１】  請求項２０に記載の方法において、前記マルチメディアオブジェクトと、（ａ）電子プログラムガイド、（ｂ）ビデオプログラム、および（ｃ）インターネットウェブページ画像のうちの少なくとも１つとを組み合わせた表示用の合成画像を形成するステップを含むことを特徴とする方法。
【請求項２２】  プログラムのデータ内容を提供するために、第１の送信元からのパケット化されたプログラム情報を復号化するための装置であって、
前記パケット化されたプログラム情報内の付属情報を識別するための手段であって、前記付属情報が、前記パケット化されたプログラム情報内の画像オブジェクトに関連付けられたメソッドを記述する情報を含み、前記メソッド記述情報が、
（ａ）メソッドの識別を可能にする情報、および
（ｂ）所定のイベントによって前記メソッドの起動を開始するための情報を具える手段と、
前記メソッド記述情報を使用して、前記メソッドを取得して復号化するための手段と、
前記メソッド記述情報を使用して、前記所定のイベントによって前記メソッドの起動を開始するための手段と
を備えたことを特徴とする装置。
【請求項２３】  請求項２２に記載の装置において、前記メソッドが、（ａ）ユーザインタフェース表示制御を変更する機能、（ｂ）囲み画像内に画像ウィンドウを生成する機能、（ｃ）ＨＴＭＬまたはＳＧＭＬ文書を生成する機能、（ｄ）選択可能なアイテムのメニューを生成する機能、（ｅ）表示用のユーザの選択可能なアイテムを表すアイコンを生成する機能、（ｆ）インターネットアクセスを開始するための画像ウィンドウを生成する機能、（ｇ）電子商取引をサポートする画像ウィンドウを生成する機能、および（ｈ）電話番号をダイアルする機能のうちの少なくとも１つを実施するためのソフトウェアを具えたことを特徴とする装置。
【請求項２４】  請求項２３に記載の装置において、ユーザインターフェース表示制御を変更する機能は、（ａ）キーボード／マウスボタン応答特性、（ｂ）表示ビデオ特性、および（ｃ）オーディオ特性のうちの少なくとも１つを修正する機能を具えたことを特徴とする装置。
【請求項２５】  請求項２２に記載の装置において、前記メソッドは、
（ａ）前記画像オブジェクトの記述テキストを提供すること、および
（ｂ）前記画像オブジェクトに関連付けられた少なくとも１つのユーザの選択可能な制御アイテムを提供することのうちの少なくとも１つを行うためのソフトウェアを具えたことを特徴とする装置。
【請求項２６】  請求項２２に記載の装置において、所定のイベントによって前記メソッドの起動を開始するための前記情報は、（ａ）コマンドまたは表示されたメニューアイテムをユーザが選択したことに応答して前記メソッドを起動すること、（ｂ）スケジュールされたイベントに応答して前記メソッドを起動すること、（ｃ）特定の機能の完了に続いて順次前記メソッドを起動すること、（ｄ）前記メソッドが起動のために処理され用意されるとすぐに実質上前記メソッドを起動することのうちの少なくとも１つを行うための情報を含むことを特徴とする装置。
【請求項２７】  スケジュールされたイベントにおいて、前記メソッドの起動を開始するための前記情報が開始時間表示を含むことを特徴とする請求項２６に記載の装置。
【請求項２８】  請求項２７に記載の装置において、前記開始時間表示は特定のビデオプログラムに関連付けられ、電子プログラムガイド情報から導出されることを特徴とする装置。
【請求項２９】  請求項２７に記載の装置において、前記メソッドの起動を開始するための前記情報が期間をさらに含むことを特徴とする装置。
【請求項３０】  請求項２２に記載の装置において、前記付属情報が前記第１の送信元からの電子プログラムガイド情報を含むことを特徴とする装置。
【請求項３１】  請求項２７に記載の装置において、前記付属情報は、
前記第１の送信元からの前記メソッドを取得するための情報をさらに含み、前記第１の送信元からの前記パケット化されたプログラム情報内に搬送される前記メソッドの位置を識別するためのデータ識別子を具えることを特徴とする装置。
【請求項３２】  請求項２２に記載の装置において、前記付属情報は、前記第１の送信元とは異なる第２の送信元から前記メソッドを取得する時に用いる取得情報をさらに含み、
前記取得情報が、（ａ）インターネットＵＲＬ、（ｂ）インターネットＩＰアドレス、（ｃ）電子メールアドレス、および（ｄ）電話／ファクス／テレビ電話の番号のうちの１つを含むことを特徴とする装置。
【請求項３３】  請求項３２に記載の装置において、前記メソッドを取得するための前記手段は、前記取得情報を使用して、前記第２の送信元との双方向通信を確立することを含み、前記双方向通信パスが前記復号化装置と前記第１の送信元との間の通信パスとは異なることを特徴とする装置。
【請求項３４】  請求項２２に記載の装置において、前記メソッドを使用して生成した画像と、（ａ）電子プログラムガイド、（ｂ）ビデオプログラム、（ｃ）インターネットウェブページ画像のうちの少なくとも１つとを組み合わせた表示用の合成画像を形成するためのフォーマット手段を含むことを特徴とする装置。
【請求項３５】  ビデオ情報を表すデジタルデータを含む記憶媒体であって、
ビデオプログラムを表すパケット化されたプログラム情報と、
前記パケット化されたプログラム情報内の画像オブジェクトに関連付けられたメソッドを記述する情報を含む付属情報であって、前記メソッド記述情報が、
（ａ）メソッドの識別を可能にする情報、および
（ｂ）所定のイベントによって前記メソッドの起動を開始するための情報を具える付属情報と、
前記メソッドと前記パケット化されたプログラム情報内の画像オブジェクトを関連付けるための情報と
を具えたことを特徴とする記憶媒体。
【請求項３６】  請求項３５に記載の記憶媒体において、前記付属情報が電子プログラムガイド情報を含み、
前記メソッドが前記電子プログラムガイドに関連付けられていることを特徴とする記憶媒体。
【請求項３７】  プログラムのデータ内容を提供するために、パケット化されたプログラム情報を復号化するのに適した第１の送信元でプログラムガイド情報を形成するための方法であって、
前記パケット化されたプログラム情報内の１つまたは複数の画像に関連付けられたメソッドを記述する情報を形成するステップであって、前記メソッド記述情報が、
（ａ）メソッドの識別を可能にする情報、および
（ｂ）所定のイベントによって前記メソッドの起動を開始するための情報を具えるステップと、
前記メソッドと前記パケット化されたプログラム情報内の画像を関連付けるリンク情報を形成するステップと、
前記メソッド記述情報と前記リンク情報を、伝送チャネルに出力するためのパケット化されたデータに組み込むステップと
を具えたことを特徴とする方法。
【請求項３８】  請求項３７に記載の方法において、前記メソッド識別情報は、前記第１の送信元からの前記パケット化されたプログラム情報における前記メソッドの位置を識別することを特徴とする方法。
【請求項３９】  請求項３７に記載の方法において、前記メソッド記述情報は、（ａ）インターネットＵＲＬ、（ｂ）インターネットＩＰアドレス、（ｃ）電子メールアドレス、（ｄ）電話／ファックス／テレビ電話番号のうちの１つを使用して、前記第１の送信元とは異なる第２の送信元から前記メソッドを取得するためのデータを含むことを特徴とする方法。
【請求項４０】  請求項３７に記載の方法において、前記リンク情報は、前記メソッドと、（ａ）電子プログラムガイド、（ｂ）ビデオプログラム、（ｃ）オーディオプログラム、および（ｄ）インターネットウェブページ画像のうちの少なくとも１つを関連付けることを特徴とする方法。
【請求項４１】  プログラムのデータ内容を提供するために、パケット化されたプログラム情報を処理するための方法であって、
前記パケット化されたプログラム情報内の付属情報を識別するステップであって、前記付属情報が、前記パケット化されたプログラム情報内の１つまたは複数の画像に関連付けられたメソッドを記述する情報を含み、前記メソッド記述情報が、
（ａ）メソッドの識別を可能にする情報、および
（ｂ）所定のイベントによって前記メソッドの起動を開始するための情報を具えるステップと、
前記メソッド記述情報を使用して、前記メソッドを取得して復号化するステップと、
前記メソッド記述情報を使用して、前記所定のイベントによって前記メソッドの起動を開始するステップと
を含むことを特徴とする方法。
【請求項４２】  請求項４１に記載の方法において、前記取得ステップは、
（ａ）インターネットＵＲＬ、（ｂ）インターネットＩＰアドレス、（ｃ）電子メールアドレス、および（ｄ）電話／ファクス／テレビ電話の番号のうちの１つを使用して、前記第１の送信元とは異なる第２の送信元から前記メソッドを取得するステップを含むことを特徴とする方法。
【請求項４３】  請求項４１に記載の方法において、前記起動開始ステップは、（ａ）コマンドまたは表示されたメニューアイテムをユーザが選択したことに応答して前記メソッドを起動すること、（ｂ）スケジュールされたイベントに応答して前記メソッドを起動すること、（ｃ）特定の機能の完了に続いて順次前記メソッドを起動すること、（ｄ）前記メソッドが起動のために処理され用意されると実質的にすぐに前記メソッドを活動することのうちの少なくとも１つによって前記メソッドの起動を開始するステップを含むことを特徴とする方法。
【請求項４４】  プログラムのデータ内容を提供するために、第１の送信元からのパケット化されたプログラム情報を処理するための方法であって、
前記パケット化されたプログラム情報内の付属情報を識別するステップであって、前記付属情報が、
（ａ）マルチメディアオブジェクトを表すデータの位置を識別するための第１の識別子と、
（ｂ）プログラムガイド情報を表すデータの位置を識別するための第２の識別子と、
（ｃ）前記パケット化されたプログラム情報内のビデオプログラムを表すデータの位置を識別するための第３の識別子とを含むステップと、
前記付属情報を使用して、前記マルチメディアオブジェクト、前記プログラムガイド情報および前記ビデオプログラムデータを取得して復号化するステップと、
取得されたデータを表示用にフォーマットするステップと
を含む方法。
【請求項４５】  請求項４４に記載の方法において、前記付属情報は、
（ｄ）メソッドを表すデータの位置を識別するための第４の識別子をさらに含むことを特徴とする方法。
【請求項４６】  請求項４４に記載の方法において、前記第１、第２、および第３の識別子は、（ａ）前記第１の送信元からの前記パケット化されたプログラム情報と、（ｂ）前記第１の送信元とは異なる第２の送信元から導出された情報とのいずれか一方における前記マルチメディアオブジェクトの位置を識別することを特徴とする方法。
【請求項４７】  請求項４６に記載の方法において、前記情報は、（ａ）インターネットＵＲＬ、（ｂ）インターネットＩＰアドレス、（ｃ）電子メールアドレス、（ｄ）電話／ファクス／テレビ電話の番号のうちの１つを使用して、前記第１の送信元とは異なる前記第２の送信元から導出されることを特徴とする方法。
【請求項４８】  請求項４４に記載の方法において、前記フォーマットするステップは、
前記マルチメディアオブジェクトを（ａ）ビデオ画像、および（ｂ）オーディオデータのうちの１つに関連付けるステップと、
前記マルチメディアオブジェクトを、（ａ）電子プログラムガイド、（ｂ）ビデオプログラム、（ｃ）インターネットウェブページ画像のうちの少なくとも１つと組み合わせた表示用の合成画像を形成するステップとを含むことを特徴とする方法。